(57)【特許請求の範囲】
【請求項１】
衛生物品のための包装ユニット（１）であって、該ユニットは材料のシートから形成されており、前記シートは内面（２）と、外面（３）と、を有し、前記内面（２）は、内側縁部部分（５、８）及び外側縁部部分（６、７）を備える縁部ゾーン（４）を備え、前記シートは少なくとも１つの折り畳み軸（９）を有し、前記折り畳み軸（９）は前記シートを第１領域（１０）及び第２領域（１１）に分割する、包装ユニット（１）において、
前記第１領域（１０）の前記縁部ゾーン（４）の前記内側縁部部分（５）及び前記外側縁部部分（６）の一方には再シール可能な感圧式接着剤（１２）が設けられ、前記第１領域（１０）の前記縁部ゾーン（４）の前記内側縁部部分（５）及び前記外側縁部部分（６）の他方には接着剤はなく、
前記第２領域（１１）の前記縁部ゾーン（４）の前記内側縁部部分（８）及び前記外側縁部部分（７）のうちの一方には再シール可能な感圧式接着剤（１２）が設けられ、前記第２領域（１１）の前記縁部ゾーン（４）の前記内側縁部部分（８）及び前記外側縁部部分（７）のうちの他方には、前記第１領域（１０）の前記縁部ゾーン（４）に対して補完的な態様で接着剤が無く、それによって、前記シート（１）が前記折り畳み軸（９）の周りに折り畳まれた際に、前記第１領域（１０）の再シール可能な感圧式接着剤を担持する前記縁部部分が、前記第２領域（１１）の前記接着剤の無い縁部部分に接触するようになり、前記第２領域（１１）の再シール可能な感圧式接着剤を担持する前記縁部部分が、前記第１領域（１０）の前記接着剤の無い縁部部分に接触するようになり、
前記第１領域（１０）及び前記第２領域（１１）のうちの少なくとも一方における前記接着剤の無い縁部部分の少なくとも１つの区画には剥離剤（２２）が設けられていることを特徴とする包装ユニット（１）。
【請求項２】
剥離剤（２２）を設けられた前記接着剤の無い部分の前記区画は、再シール可能な感圧式接着剤（１２）を担持する前記補完的な縁部部分の面積の１０〜９０％を構成することを特徴とする請求項１に記載の包装ユニット（１）。
【請求項３】
剥離剤（２２）は、前記接着剤の無い縁部部分の全長に沿って設けられていることを特徴とする請求項１に記載の包装ユニット（１）。
【請求項４】
剥離剤（２２）は、連続的なパターン又はコーティングとして塗布されていることを特徴とする請求項１〜３のいずれか一項に記載の包装ユニット（１）。
【請求項５】
剥離剤（２２）は、間欠パターンで設けられていることを特徴とする請求項１〜３のいずれか一項に記載の包装ユニット。
【請求項６】
前記剥離剤（２２）は、シリコーンポリマー又はポリシロキサンであることを特徴とする請求項１〜５のいずれか一項に記載の包装ユニット（１）。
【請求項７】
前記材料のシートは、略長方形状の形状であり、長手方向縁部、横方向縁部、及びコーナー部分を備え、前記材料のシートの前記第１領域（１０）及び前記第２領域（１１）の前記縁部ゾーン（４）は、前記長手方向縁部に沿って配置されていることを特徴とする請求項１〜６のいずれか一項に記載の包装ユニット（１）。
【請求項８】
前記材料のシートは横方向縁部ゾーン（４’、４”）を備え、前記横方向縁部ゾーン（４’、４”）のうちの一方の少なくとも一部分には再シール可能な感圧式接着剤（１２）が設けられていることを特徴とする請求項１〜７のいずれか一項に記載の包装ユニット（１）。
【請求項９】
前記第１領域（１０）の前記横方向縁部ゾーン（４’）の一部分には再シール可能な感圧式接着剤（１２）が設けられ、前記第１領域（１０）の前記横方向縁部ゾーン（４’）の残りの部分には接着剤が無く、前記第２領域（１１）の前記横方向縁部ゾーン（４”）の一部分には再シール可能な感圧式接着剤（１２）が設けられ、前記第２領域（１１）の前記横方向縁部ゾーン（４”）の残りの部分には、前記第１領域（１０）の前記横方向縁部ゾーン（４’）に対して補完的な態様で接着剤が無く、それによって、前記シートが前記折り畳み軸（９）の周りに折り畳まれた際に、前記第１領域（１０）の再シール可能な感圧式接着剤を担持する前記横方向縁部ゾーンが、前記第２領域（１１）の接着剤の無い横方向縁部ゾーンに接触することになり、前記第２領域（１１）の再シール可能な感圧式接着剤を担持する前記横方向縁部ゾーンが、前記第１領域（１０）の前記接着剤の無い横方向縁部ゾーンに接触することになり、
前記第１領域（１０）及び前記第２領域（１１）の少なくとも一方の前記接着剤の無い横方向縁部ゾーンの少なくとも１つの区画には剥離剤（２２）が設けられることを特徴とする請求項８に記載の包装ユニット（１）。
【請求項１０】
前記コーナー部分のうちの少なくとも１つには、把持タブが形成されるように接着剤が設けられていないことを特徴とする、請求項７に記載の包装ユニット。
【請求項１１】
前記シートは、前記シートを第１領域（３１０）、第２領域（３１１）、及び第３領域（３１２）に分割する２つの折り畳み軸（３０９、３０９’）を有することを特徴とする請求項７に記載の包装ユニット（３０１）。
【請求項１２】
前記シートは、前記第１領域（３１０）、前記第２領域（３１１）、及び前記第３領域（３１２）が重なり合う構成にある状態に、前記折り畳み軸（３０９、３０９’）に沿って折り畳まれていることを特徴とする請求項１１に記載の包装ユニット（３０１）。
【請求項１３】
再シール可能な感圧式接着剤を設けられた前記第３領域（３１２）の前記縁部ゾーンの前記縁部部分（３０７、３０８）は、再シール可能な感圧式接着剤（１２）を設けられた前記第１領域（３１０）の前記縁部ゾーンの前記縁部部分（３０５、３０６）に対応するとともに、再シール可能な感圧式接着剤（１２）を設けられた前記第２領域（３１１）の前記縁部ゾーンの前記縁部部分（３０５’、３０６’）に対して補完的であり、それによって再シール可能な感圧式接着剤（１２）のチェス盤状のパターンが、前記長手方向縁部のそれぞれに沿って形成されていることを特徴とする請求項１１又は１２に記載の包装ユニット。
【請求項１４】
２つの隣り合う領域（４１１、４１２）の接着剤で覆われた縁部部分（４０５’、４０７）の幅は、残りの領域（４１０）の接着剤で覆われた部分（４０６）の幅に比べて半分にされていることを特徴とする請求項１３に記載の包装ユニット（４０１）。
【請求項１５】
前記材料のシートは横方向縁部ゾーン（３０４’、３０４＊）を備え、前記横方向縁部ゾーン（３０４’、３０４＊）のうちの一方の少なくとも一部分には再シール可能な感圧式接着剤（１２）が設けられていることを特徴とする請求項１１〜１４のいずれか一項に記載の包装ユニット（３０１）。
【請求項１６】
前記シートは不透明であり、及び／又は印刷を備えていることを特徴とする請求項１〜１５のいずれか一項に記載の包装ユニット（１）。
【請求項１７】
前記再シール可能な感圧式接着剤（１２）は、無制限の開放時間を有する感圧式熱溶融性接着剤であることを特徴とする請求項１〜１６のいずれか一項に記載の包装ユニット（１）。
【請求項１８】
前記包装ユニット（１）は再閉止可能であることを特徴とする請求項１〜１７のいずれか一項に記載の包装ユニット（１）。
【請求項１９】
材料のシートから衛生物品のための包装ユニット（１）を形成する方法であって、
‐内面（２）と、外面（３）と、を有するシートを提供するステップであって、前記内面（２）は、内側縁部部分（５、８）と、外側縁部部分（６、７）と、を備える縁部ゾーン（４）を備え、前記シートは少なくとも１つの折り畳み軸（９）を有し、前記折り畳み軸（９）は前記シートを第１領域（１０）と、第２領域（１１）と、に分割する、ステップと、
‐前記第１領域（１０）の前記縁部ゾーン（４）の前記内側縁部部分（５）と、前記外側縁部部分（６）と、のうちの一方に再シール可能な感圧式接着剤（１２）を設けるステップであって、それによって、前記第１領域（１０）の前記縁部ゾーン（４）の前記内側縁部部分（５）と、前記外側縁部部分（６）と、のうちの他方が接着剤を有さない、ステップと、
‐前記第２領域（１１）の前記縁部ゾーン（４）の前記内側縁部部分（８）と前記外側縁部部分（７）のうちの一方に再シール可能な感圧式接着剤（１２）を設けるステップであって、それによって、前記第２領域（１１）の前記縁部ゾーン（４）の前記内側縁部部分（８）と、前記外側縁部部分（７）と、のうちの他方が、前記第１領域（１０）の前記縁部ゾーン（４）に対して補完的な態様で接着剤を有していない、ステップと、
‐前記第１領域及び前記第２領域の少なくとも一方の前記接着剤の無い縁部部分の少なくとも１つの区画に剥離剤を設けるステップと、
‐前記シートを前記折り畳み軸（９）の周りに折り畳むステップであって、それによって、前記第１領域（１０）の再シール可能な感圧式接着剤を担持する前記縁部部分が、前記第２領域（１１）の接着剤の無い縁部部分に接触することになり、前記第２領域（１１）の再シール可能な感圧式接着剤を担持する前記縁部部分が、前記第１領域（１０）の前記接着剤の無い縁部部分と接触することになる、ステップと、
を備える方法。
【請求項２０】
前記シートは、前記シートを第１領域（３１０）、第２領域（３１１）及び第３領域（３１２）に分割する２つの折り畳み軸（３０９、３０９’）を備え、前記方法は、
‐前記第３領域（３１２）の前記縁部ゾーンの一部分に再シール可能な感圧式接着剤（１２）を設けるステップと、
‐前記シートを、前記第３領域（３１２）の前記内面が前記第１領域（３１０）の前記外面に接触することになるように折り畳むステップと、
をさらに備えることを特徴とする請求項１９に記載の方法。
【請求項２１】
衛生物品のための包装ユニットを形成するための材料のウェブ（６０１）であって、
前記材料のウェブ（６０１）が長手方向中心軸（６０８）に沿って延びる長手方向と、前記長手方向に垂直な横方向と、を有し、前記ウェブ（６０１）が複数の横方向裁断ゾーン（６０２）を備え、前記横方向裁断ゾーン（６０２）のそれぞれが、前記ウェブ（６０１）の前記横方向に延びる中心裁断軸（６０３）それぞれに沿って配置され、前記横方向裁断ゾーン（６０２）が、前記ウェブ（６０１）の前記長手方向において互いから所定の距離に配置されており、前記横方向裁断ゾーン（６０２）のそれぞれは、中央部分と、前記ウェブ（６０１）の前記横方向において前記中央部分の両側に配置された第１周辺部分及び第２周辺部分と、を備え、
前記ウェブ（６０１）の前記横方向裁断ゾーン（６０２）のそれぞれの少なくとも１つの区画には、剥離剤（２２）が設けられ、
前記横方向裁断ゾーン（６０２）のそれぞれには、再シール可能な感圧式接着剤（１２）が、剥離剤（２２）が無い前記横方向裁断ゾーン（６０２）の少なくとも１つの区画に設けられており、
剥離剤（２２）を設けられた前記区画は、第１部分（６０９）及び第２部分（６１０）を備え、剥離剤（２２）を設けられた前記区画の前記第１部分（６０９）は、剥離剤（２２）を設けられた前記区画の前記第２部分（６１０）に対して前記長手方向に変位されており、
前記再シール可能な感圧式接着剤（１２）は、前記横方向裁断ゾーンが前記長手方向に平行な折り畳み軸の周りに折り畳まれた際に、再シール可能な感圧式接着剤を設けられた前記区画の少なくとも一部分が、接着剤の無い部分に接触して前記包装ユニットの封止を形成するように設けられていることを特徴とする材料のウェブ（６０１）。
【請求項２２】
前記横方向裁断ゾーン（６０２）の前記剥離剤（２２）を設けられた前記区画は、前記横方向裁断ゾーン（６０２）の前記中央部分に配置されていることを特徴とする請求項２１に記載の材料のウェブ（６０１）。
【請求項２３】
前記横方向裁断ゾーン（６０２）の前記剥離剤（２２）を設けられた前記区画は、前記横方向裁断ゾーン（６０２）の前記第１周辺部分及び前記第２周辺部分に配置されていることを特徴とする請求項２１に記載の材料のウェブ（６０１）。
【請求項２４】
前記横方向裁断ゾーン（６０２）の前記剥離剤（２２）を設けられた前記区画は、前記横方向裁断ゾーン（６０２）の全長に沿って配置されており、それによって前記横方向裁断ゾーン（６０２）の前記中央部分における剥離剤を設けられた前記区画が、前記横方向裁断ゾーン（６０２）の前記第１周辺部分及び前記第２周辺部分における剥離剤（２２）を設けられた前記区画に対して前記長手方向に変位されていることを特徴とする請求項２１に記載の材料のウェブ（６０１）。
【請求項２５】
前記材料は、プラスティックフィルム、不織ウェブ、又は積層体であることを特徴とする請求項２１〜２４のいずれか一項に記載の材料のウェブ（６０１）。
【請求項２６】
前記材料のウェブ（６０１）は、１０〜５０ｃｍの前記横方向における幅を有することを特徴とする請求項２１〜２５のいずれか一項に記載の材料のウェブ（６０１）。
【請求項２７】
前記横方向裁断ゾーン（６０２）は、０．５〜５ｃｍの前記ウェブ（６０１）の前記長手方向における幅を有することを特徴とする請求項２１〜２６のいずれか一項に記載の材料のウェブ（６０１）。
【請求項２８】
衛生物品のための包装ユニットを形成するための材料のウェブ（５０１）を準備するための製造方法であって、
ａ）長手方向中心軸に沿って延びる長手方向と、前記長手方向に垂直な横方向と、を有する材料のウェブ（５０１）を準備するステップであって、前記ウェブ（５０１）は、機械における進行方向（ＭＤ）に流れ、それによって前記ウェブ（５０１）の前記長手方向は前記ＭＤに一致し、前記ウェブ（５０１）は複数の横方向裁断ゾーン（５０２）を備え、前記横方向裁断ゾーン（５０２、７０２）のそれぞれは、前記ウェブ（５０１）の前記横方向に延びる中心裁断軸（５０３）に沿って配置されており、前記横方向裁断ゾーン（５０２、７０２）は、前記ウェブ（５０１）の前記長手方向において互いから所定の距離に配置されている、ステップと、
ｂ）前記ウェブ（５０１）の前記横方向において、前記ウェブ（５０１）の前記横方向裁断ゾーン（５０２）のそれぞれの少なくとも１つの区画に剥離剤（２２）を設けるステップであって、剥離剤（２２）を設けられた前記区画は第１部分（７０４）及び第２部分（７０４’）を備え、剥離剤（２２）を設けられた前記区画の前記第１部分（７０４）は、剥離剤（２２）を設けられた前記区画の前記第２部分（７０４’）に対して前記長手方向に変位されている、ステップと、
ｃ）前記ウェブ（５０１）の前記横方向において、剥離剤（２２）の無い前記ウェブ（５０１）の前記横方向裁断ゾーン（５０２）のそれぞれの１つの部分に再シール可能な感圧式接着剤（１２）を設けるステップであって、前記再シール可能な感圧式接着剤（１２）は、前記横方向裁断ゾーンが前記長手方向に平行な折り畳み軸の周りに折り畳まれた際に、再シール可能な感圧式接着剤を設けられた前記部分の少なくとも一部分が、接着剤の無い部分に接触して前記包装ユニットの封止を形成するように設けられる、ステップと、
ｄ）前記中心裁断軸（５０３）に沿って、前記横方向裁断ゾーン（５０２）を通じて前記ウェブを切断するステップと、
を備え、
前記ステップｂ）と、ｃ）とは、順序にこだわらずに行うことができることを特徴とする、製造方法。
【発明の詳細な説明】
【技術分野】
【０００１】
本発明は衛生物品用の包装ユニットに関し、このユニットは材料シートから形成されており、このシートは内面及び外面を有し、内面は、内側縁部部分及び外側縁部部分を備える縁部ゾーンを備え、シートは少なくとも１つの折り畳み軸を有し、この折り畳み軸はシートを第１領域と第２領域とに分割する。本発明はまた、材料シートから衛生物品のための包装ユニットを形成する方法、包装ユニットを形成するための材料ウェブ、及び包装ユニットを形成するための材料ウェブを形成する方法にも関する。
【背景技術】
【０００２】
生理用ナプキン及びパンティライナーのような使い捨ての衛生物品は、通常は、例えば簡易包装（ｅａｓｙ  ｗｒａｐ）又は単一包装（ｓｉｎｇｌｅ  ｗｒａｐ）中に個々に包装される。個別の包装材は、例えばハンドバッグの中などの、将来の使用のための個別の物品の衛生的な持ち運びを容易にする。個別の包装材の縁部は、超音波溶着又は熱溶着によってシールされていることが多い。さらに、包装ユニットは、使用されていない物品を包装するため、及び使用された物品の廃棄のための手段としての両方に使用されることが多い。
【０００３】
この種の使用された物品は小さく衛生的に廃棄することができることが望ましい。このことは、使用された物品が交換された後に、使用者がすぐに使用された物品を廃棄できないとき、例えばトイレの領域にゴミ箱が無いときなどには特に重要である場合がある。この場合、使用者は使用された物品を例えばハンドバッグ又はバックパックなどの中にいれておく必要がある場合があり、このことは、染み及び臭いを避けるために包装材が緊密にシールされていることを必要とする。
【０００４】
廃棄の問題は、かなりの徹底的な研究の対象とされてきており、いくつかの解法が提案されてきた。
【０００５】
特許文献１は、包装材に３方で取り付けられた液体不透過性の材料のシートを包装材の少なくとも一部に重ね合わせることによって形成されたポーチを設けることができる包装材シートを開示している。このポーチは、汚れた物品を収容するために使用される。そのような包装材は、さらなる量の材料を必要とするとともに、密閉された廃棄用包装材を形成することができないという欠点に悩まされている。
【０００６】
使用された衛生物品の廃棄のための別の一般的な解法が、例えば特許文献２に開示されている。この文献は、フラップパネル、中央パネル及び端部パネル、並びにラップ式包装材を廃棄用構成に固定するためのテープタブを有する材料の単一ストリップを備える包装材を備える、折り畳んで包むタイプの包装を開示している。そのような包装材の主な欠点は、物品が廃棄されるときに緊密にシールされた包装を形成することができないということである。
【０００７】
特許文献３は、互いに平行な縁部に沿って感圧式接着剤の連続的な又は間欠的な狭いコーティングを設けられた細長い材料シートを折り畳むことによって形成された包装ユニットを開示しており、この感圧式接着剤によって、接着剤表面が接着剤表面に対して位置し、結合される状態で、容器部分が結合されている。包装ユニットはさらに、感圧式接着剤で少なくとも部分的にコーティングされた蓋部を備え、それによって蓋部を容器部分の外側に再固定することができる。したがって、そのような包装ユニットは、非常に強固にシールされた側部シームを有し、このシームのところで接着剤をコーティングされた表面が互いに接触し、再シール可能な蓋部は緊密にシールされた廃棄用包装を提供する。しかし、接着剤をコーティングされた表面は互いに接触しているので、使用された物品の位置付けのためにシートを完全に広げることはできず、したがって使用された物品は、かなり限られた容器部分の中に挿入されなければならない。これは、使用された衛生物品が、使用前の物品よりも嵩張るようになることが多く、容器部分の中に挿入することが難しくなるので不都合である場合がある。
【０００８】
特許文献４は、衛生物品の包装及び廃棄のための再閉止可能なシートを開示している。このシートは、シートが折り畳まれた際に、接着剤がコーティングされた領域が互いに接触することが無いように配置された、縁部接着剤ストリップを備える。その目的を果たすために、シートの折り畳みは、シートの接着剤の無い横方向縁部から開始しなければならない。折り畳みが、接着剤がコーティングされた横方向縁部から開始されると、２つの接着剤の層が互いに重なり合い、接着剤の無い横方向縁部は包装の外側の位置に位置することになり、すなわち包装は緊密にシールされない。
【０００９】
単一の物品を包装するためを意図されている従来タイプの包装ユニットは、細長い長方形状の材料シートを備え、この材料シートが折り畳まれて、ｅ‐折り畳み（ｅ−ｆｏｌｄｉｎｇ）とも称される、折り重ねられた蓋部を有するバッグ状の包装を形成する。これら既知の包装ユニットは、熱又は超音波によって縁部に沿って溶着され、縁部における溶着されたシームに沿って破ることによって開放され、それによって包装は、包装の内容物を暴露するように広げられる。
【００１０】
この種の溶着された包装ユニットが有する主な欠点は、一旦開放されると、包装材は再シールすることができず、したがって使用された物品を衛生に関して許容できる様態で包装することができないので、廃棄用バッグとして満足のいくように使用することができない、ということである。さらに、広げられた包装用シートは、破られた溶着部が均一でなくフリル状になっているので、非審美的な外観を有する。
【先行技術文献】
【特許文献】
【００１１】
【特許文献１】英国特許出願公開第２、１５３、７７９号明細書
【特許文献２】国際公開第９４／１４３９６号パンフレット
【特許文献３】国際公開第８８／１０２１９号パンフレット
【特許文献４】米国防衛出願Ｈ１４５４
【特許文献５】国際公開第９９／１１６８３号パンフレット
【特許文献６】米国特許第５，５７１，５８６号明細書
【特許文献７】米国特許第７，００４，３２０号明細書
【発明の概要】
【発明が解決しようとする課題】
【００１２】
したがって、新しい衛生物品を包装するため、及び使用された衛生物品の衛生的な保持及び廃棄のための両方に使用することができ、かつ審美的に魅力のある包装ユニットに対する必要性がある。
【課題を解決するための手段】
【００１３】
本発明は、新しい衛生物品を包装するため、及び使用された衛生物品の安全かつ衛生的な廃棄のための両方に使用することができる包装ユニットを提供する。本発明の包装ユニットは、新しい物品および使用された物品の両方のための密閉された包装を形成する可能性を提供し、それによって新しい物品を使用前に衛生的かつ清浄に保持するとともに、使用された物品が包装されるときには染み及び臭いのリスクを排除する。この包装ユニットは、簡単に広げ、再シールすることができ、審美的に魅力的である。
【００１４】
ここで使用されるように、用語「内面」は、包装ユニットの内側に配置された製品に面する包装ユニットの面を参照し、用語「外面」は、内面とは反対側の面、すなわち周囲環境に面する面を参照する。
【００１５】
用語「縁部ゾーン」は、包装ユニットの端縁に隣接する包装ユニットの部分を意味する。縁部ゾーンの幅は、変化させることができる。
【００１６】
用語「内側縁部部分」は、包装ユニットの中心線の方に位置する縁部ゾーンの部分を参照する。
【００１７】
用語「外側縁部部分」は、包装ユニットの端縁の方に位置する縁部ゾーンの部分を参照する。
【００１８】
用語「単一プライ」は、密着した材料（ｃｏｈｅｒｅｎｔ  ｍａｔｅｒｉａｌ）の単一プライを備える包装ユニットを意味する。単一プライの包装ユニットの例は、ポリエチレンフィルムのようなプラスティックフィルム、不織材料、金属箔、又はその種のものとすることができる。単一プライ材料は、一体化された層を備えるプラスティックフィルム材料又は材料の異なる部分で変化する繊維組成を有する不織材料のような不均一な材料とすることができる。ここで使用されるような単一プライ材料は、分離可能な層を有する材料を備えない。
【００１９】
用語「積層体」は、同じとすることも異ならせることもできる少なくとも２つの材料の統合された分離可能なプライを備える包装ユニットを意味する。本発明の明細書では、積層体は、例えばプラスティックフィルムからなる２つの分離可能なプライ、フィルムと不織材、不織材からなる２つのプライ、又はその種のものから構成することができる。
【００２０】
用語「横方向裁断ゾーン」は、材料ウェブの一片を分離するために切断が行われ、それによって本発明の包装ユニットを形成するためのシートを形成する、材料ウェブの領域を意味する。
【００２１】
「剥離剤」との用語は、２つの接着された表面間の接着結合の接着強度を調整することができる物質を意味する。
【００２２】
本発明は、衛生物品のための包装ユニットと、包装ユニットを形成する方法と、を提供し、この包装ユニットは、上述された包装ユニットの欠点を実質的に排除する。
【００２３】
本発明による衛生物品のための包装ユニットは、内面及び外面を有する材料シートから形成され、内面は、内側縁部部分及び外側縁部部分を備える縁部ゾーンを備える。シートは少なくとも１つの折り畳み軸を有し、折り畳み軸はシートを第１領域及び第２領域に分割する。本発明による包装ユニットは、第１領域の縁部ゾーンの内側縁部部分及び外側縁部部分のうちの一方に接着剤が設けられ、第１領域の縁部ゾーンの内側縁部部分及び外側縁部部分のうちの他方には接着剤が無いことを特徴としている。さらに、本発明の特有の特徴は、第２領域の縁部ゾーンの内側縁部部分及び外側縁部部分のうちの一方には接着剤が設けられ、第２領域の縁部ゾーンの内側縁部部分及び外側縁部部分のうちの他方には、第１領域の縁部ゾーンに対して補完的な態様で接着剤が無いことである。言い換えると、シートが折り畳み軸の周りに折り畳まれた際には、第１領域の接着剤を担持する縁部部分が、第２領域の接着剤の無い縁部部分に接触するようになり、第２領域の接着剤を担持する縁部部分が、第１領域の前記接着剤の無い縁部部分に接触するようになる。さらに、第１及び第２領域のうちの少なくとも一方における接着剤の無い縁部部分の少なくとも１つの区画には剥離剤が設けられて、本発明に使用されている接着剤の接着強度を制御することを可能にしている。
【００２４】
本発明の包装ユニットとともに使用される好適な接着剤は、無制限の開放時間を有する、すなわちこの接着剤を他の基材にいつでも接合することができる、感圧式熱溶融性接着剤である。
【００２５】
包装ユニットとともに使用される感圧式接着剤は、非常に高い自己接着性を有するが、プラスティック材料又は剥離剤で処理された紙のような他の材料から容易に分離する又は剥がすことができるものである。本発明による包装ユニットの主な利点は、新しい衛生物品を取り出そうとするときに、完全に広げることができるということである。それとは対照的に、互いに接触している接着剤でコーティングされた縁部部分によって接着剤でシールされた縁部を有する従来技術の包装は、接着剤でシールされた縁部の大きすぎる接着力を有し、包装を完全に広げようとすると、包装ユニットの変形、破れ、及び破壊をもたらし、使用された物品の小型で衛生的な廃棄のためには使用できなくしてしまう。本発明の包装ユニットの接着剤でコーティングされた縁部部分は、包装ユニットが折り畳まれた際に互いに接触しないので、包装ユニットは容易に開放し、再シールすることができ、密閉した廃棄用包装を提供する。同時に、本発明の接着剤パターンを使用する包装ユニットの接着剤でシールされた縁部の引張強度は、新しい物品及び使用された物品の両方のための密閉された包装を提供するのに十分であり、容易に開放される包装を提供するのに十分に低い。
【００２６】
剥離剤の使用は、開放前に包装ユニットを密閉してシールされた状態に保持するのに十分な強度を有する接着剤を備える包装ユニットの提供を可能にし、一方で包装ユニットは、包装ユニットを破壊し、廃棄目的に対して好適ではなくしてしまう可能性を有する過度に大きな力を使用することなく依然として開放することができ、同時に包装ユニットを再シールする際には密閉した包装ユニットを形成するのに十分な強度を提供する。
【００２７】
剥離剤は、接着剤の無い縁部部分のうちの１つに設けることができる。また、剥離剤は、接着剤の無い縁部部分のいくつかに設けることもでき、吸収性物品の接着剤の無い縁部部分の全てに設けることもできる。
【００２８】
剥離剤は、包装ユニットの接着剤の無い縁部部分全体を覆うコーティングを形成することができる。また、剥離剤は、接着剤の無い縁部部分の全長にパターンで適用することができる。このパターンは、らせん状、波状、ジグザグ状、へリックス状のように連続的であってもよく、又は線状、点状、交差状、星状、四角形状のように、間欠的であってもよい。さらに、剥離剤は、接着剤の無い縁部部分の所定の区画に配置することが考えられる。剥離剤で覆われた区画の面積は、対応する接着剤で覆われた縁部部分の面積の１０〜９０％、好ましくは３０〜７０％、より好ましくは対応する接着剤で覆われた縁部部分の４０〜６０％を構成する。
【００２９】
シートの幾何学的な形状は、包装される衛生物品のタイプによって変化させることができる。シートは、円形状、三角形状、正方形状、長方形状、又は包装される衛生物品に好適ないずれかの他の形状とすることができる。しかし、シートが少なくとも１つの対称軸を有することが望ましい。
【００３０】
上述のように、包装ユニットは少なくとも１つの折り畳み軸を備える。折り畳み軸の数は、包装ユニットがどのように折り畳まれることを意図されるかによって変わる場合がある。包装ユニットが１つ〜３つの折り畳み軸を備えることが好ましい。
【００３１】
包装ユニットを形成するための材料シートの普及している形状は、正方形状又は長方形状である。本発明によるそのようなシートは、本明細書では長手方向縁部、横方向縁部、及びコーナー部分と称される側部縁部を有し、材料シートの第１及び第２領域の縁部ゾーンは、長手方向縁部に沿って配置されている。したがって、接着剤で覆われた縁部部分、接着剤の無い部分、及び剥離剤を担持する部分は、長手方向縁部に沿って位置している。包装ユニットが開放される際に、シートの縁部が巻き上がる、又は皺が寄ることを避けるために、外側縁部部分に設けられる接着剤及び／又は剥離剤は、長手方向縁部から所定の距離に位置させることができる。この距離は、０．５〜５ｍｍ、好ましくは１〜３ｍｍとすることができる。また、この距離は０ｍｍとすることができる、すなわち接着剤及び／又は剥離剤を、それらが長手方向縁部まですべての外側縁部部分を覆うように設けることができる。
【００３２】
接着剤で覆われた縁部部分の幅は、望まれる接着強度によって変化させることができる。接着剤で覆われた縁部ゾーンが広ければ広いほど、シールは強い。接着剤で覆われた縁部部分の幅は、異なる領域で同じであっても異なっていてもよい。
【００３３】
領域それぞれにおける接着剤で覆われた縁部部分の長さは、領域それぞれの長さと同じであってもよく、又は領域それぞれの長さより０．１〜４ミリメータだけ短くてもよい。
【００３４】
さらに、本発明による包装ユニットの横方向縁部のうちの少なくとも１つには、好ましくは接着剤が設けられている。開放を容易にするために、コーナー点のうちの少なくとも１つを、把持タブが形成されるように接着剤を有さないようにすることができる。
【００３５】
上述のように、個別に包装された衛生製品のための最も一般的な折り畳みパターンは、いわゆるｅ‐折り畳みである。この場合、シートは２つの折り畳み軸を有し、シートを第１領域、第２領域、及び第３領域に分割している。包装ユニットが次いで形成され、シートは、第１、第２、及び第３領域が重なり合う構成にある状態で折り畳み軸に沿って折り畳まれる。
【００３６】
本発明によれば、シートが、このシートを第１、第２、及び第３領域に分割する２つの折り畳み軸を有し、包装ユニットがｅ‐折り畳みによって形成されるとき、接着剤を設けられた第３領域の縁部ゾーンの縁部部分は、接着剤を設けられた第１領域の縁部ゾーンの縁部部分に対応し、接着剤を設けられた第２領域の縁部ゾーンの縁部部分に対して補完的である。したがって、接着剤のチェス盤パターンが、長手方向縁部ゾーンのそれぞれに沿って形成される。また、包装ユニットの少なくとも１つの領域における接着剤を有さない部分の少なくとも１つの区画には、剥離剤が設けられる。
【００３７】
包装ユニットを形成するためのシートは、ポリエチレンフィルム又は不織布のような、当業者には既知であるいずれかの好適な材料からなる単一プライのシートとすることができる。また、シートは、少なくとも２つの異なる層を備える積層体とすることもできる。衛生物品の包装のために好適な積層体は、当業者には既知であると考えられ、本発明用に何ら限定されるものではない。
【００３８】
必要に応じて、本発明による包装ユニットを形成するためのシートを不透明とすることができ、それによって包装ユニットの内容物を隠すことができ、このことは、本発明の包装ユニットの中に包まれた、使用された物品を、交換された直後に廃棄できない場合にはとくに重要である。さらに、シートは印刷を備えることができ、印刷は使用者の注意を惹き、使用者の気分を良くするために有益である場合がある。
【００３９】
本発明による包装ユニットを形成する材料シートは、臭気抑制物質又は臭気中和物質を備えることができる。そのような物質は、例えばコーティング、活性化可能なマイクロカプセル、含浸させたパッチ、又はその種のもののような、当業者には既知の好適な態様で適用することができる。
【００４０】
本発明による包装ユニットを形成するためのシートを伸縮自在又は拡張可能にすることができることは想到可能であり、このことは、衛生物品が使用中に大幅に変形され、したがって包装ユニットを変形させなければ包装することが難しい場合には有利である場合がある。
【００４１】
本発明に使用される接着剤は、Ｈ．Ｂ．Ｆｕｌｌｅｒから入手可能なＬｕｎａｔａｃｋ（登録商標）Ｄ６５６  ＢＯ  １９のような、感圧式熱溶融性接着剤とすることができる。
【００４２】
本発明において有益である剥離剤は、特許文献５、特許文献６、又は特許文献７の開示による、しかし限定されるものではない、シリコーンベースの剥離剤、又は（ＬＡＢコーティングとして既知の）低接着性バックサイズ（ｂａｃｋｓｉｚｅ）コーティングとすることができる。一般的に、本発明は、シリコーンポリマーコーティング又はポリシロキサンのような剥離コーティングと称される付着防止コーティングを有するコーティング紙又はプラスティックフィルムによって行うことができる。ポリシロキサンは特に有益な付着防止コーティングであり、溶剤ベース及び溶剤無しのポリシロキサンを使用することができる。ポリシロキサンは、熱的に又は放射線によって架橋する。
【００４３】
本発明による衛生物品のための包装ユニットは、
‐内面と、外面と、を有するシートを提供するステップであって、内面は、内側縁部部分と、外側縁部部分と、を備える縁部ゾーンを備え、シートは少なくとも１つの折り畳み軸を有し、この折り畳み軸はシートを第１領域と、第２領域と、に分割する、ステップと、
‐第１領域の縁部ゾーンの内側縁部部分と、外側縁部部分と、のうちの一方に接着剤を設けるステップであって、それによって、第１領域の縁部ゾーンの内側縁部部分と、外側縁部部分と、のうちの他方が接着剤を有さない、ステップと、
‐第２領域の前記縁部ゾーンの内側縁部部分と、外側縁部部分と、のうちの一方に接着剤を設けるステップであって、それによって、第２領域の縁部ゾーンの内側縁部部分と、外側縁部部分と、のうちの他方が、第１領域の縁部ゾーンに対して補完的な態様で接着剤を有していない、ステップと、
‐第１領域及び第２領域の少なくとも一方の接着剤の無い縁部部分の少なくとも１つの区画に剥離剤を設けるステップと、
‐シートを折り畳み軸の周りに折り畳むステップであって、それによって、第１領域の接着剤を担持する縁部部分が、第２領域の接着剤の無い縁部部分に接触することになり、第２領域の接着剤を担持する縁部部分が、第１領域の接着剤の無い縁部部分と接触することになる、ステップと、
を備える方法によって形成される。
【００４４】
少なくとも２つの折り畳み軸を備える、すなわち少なくとも３つの領域を備える包装ユニットが折り畳まれる際に、第１領域の接着剤で覆われた縁部部分は、第２領域の接着剤の無い部分に接触するようになり、第２領域の接着剤で覆われた部分は、第１領域の接着剤の無い部分と接触するようになることに留意すべきである。続いて折り畳まれた第３領域は第１領域の外面上に折り畳まれて蓋部を形成し、第３領域の接着剤で覆われた縁部部分はしたがって、第１領域の接着剤の無い外面に接触するようになる。この特定の場合には、折り畳みの順序は逆とすることができる、すなわち第２領域の接着剤で覆われた縁部部分が第３領域の接着剤の無い部分と接触するようになり、第３領域の接着剤で覆われた部分が、第２領域の接着剤の無い部分に接触するようになる。蓋部は、第１領域を第３領域の外面上に折り畳むことによって形成することができる。本発明による接着剤パターンは、したがって使用者に包装ユニットをどのような順序でも折り畳むことができる可能性を与えるという利点を有し、依然として液体密、及び臭気を密閉できる包装が得られ、使用された物品を小型で衛生的な態様で廃棄することを保証する。さらに、本発明の包装ユニットは廃棄のために使用される際に、使用者は、包装ユニットを折り畳む代わりに包装ユニットを巻くことを選択することができる。
【００４５】
また、本発明は、衛生物品用の包装ユニットを形成するための材料ウェブに関し、包装ユニットはウェブを適切なサイズのシートに切断することによって形成される。本発明の材料ウェブは、長手方向中心軸に沿って延びる長手方向と、この長手方向に垂直な横方向と、を有し、ウェブの横方向に延びる中心裁断軸それぞれに沿って配置された複数の横方向裁断ゾーンを備える。横方向裁断ゾーンは、ウェブの長手方向において互いから所定の距離に配置されている。前記横方向裁断ゾーンのそれぞれは、中央部分と、横方向において中央部分の両側に配置された第１及び第２周辺部分と、を備える。ウェブの横方向裁断ゾーンそれぞれの少なくとも１つの区画には、剥離剤が設けられている。
【００４６】
本発明による材料ウェブが、上述したように２つの折り畳み軸を備える、ｅ‐折り畳み式包装ユニットを製造するために使用されることを意図される場合には、いくつかのオプションを、剥離剤を配置するために使用可能である。
【００４７】
第１に、剥離剤を設けられた横方向裁断ゾーンの区画を、横方向裁断ゾーンの中央部分に配置することができるか、又は横方向裁断ゾーンの周辺部分の一方若しくは両方に配置することができる。
【００４８】
さらに、横方向裁断ゾーンの剥離剤を設けられた区画は、ウェブの横方向における横方向裁断ゾーンの全長に沿って配置することができる。この場合、横方向裁断ゾーンの中央部分における剥離剤を設けられた区画は、横方向裁断ゾーンの第１及び第２周辺部分における剥離剤を設けられた区画に対して、ウェブの長手方向に変位されている。この実施形態によるウェブから製造される包装ユニットが折り畳まれるときに、剥離剤を設けられた区画は重なり合わない。
【００４９】
本発明による材料ウェブが、上述したように１つの折り畳み軸を備える包装ユニットを製造するために使用されることを意図される場合には、剥離剤を設けられた横方向裁断ゾーンの区画は、剥離剤が設けられた区画が第１部分及び第２部分を備えるように、横方向裁断ゾーンの全長に沿って横方向に配置される。剥離剤を設けられた区画の第１部分は、剥離剤を設けられた区画の第２部分に対して長手方向に変位されている。変位点（ｄｉｓｐｌａｃｅｍｅｎｔ  ｐｏｉｎｔ）は、長手方向中心軸と、中心裁断軸と、の交差点に位置している。この実施形態によるウェブから製造された包装ユニットが折り畳まれるとき、剥離剤を設けられた区画は重なり合わない。
【００５０】
勿論、材料ウェブには、剥離剤を有さない横方向裁断ゾーンの少なくとも１つの区画に接着剤を設けることができる。したがって、接着剤は、既に上述したような補完的な態様で配置することができる、すなわち剥離剤を担持していない横方向裁断ゾーンの区画が接着剤を担持することができる。
【００５１】
本発明によるウェブは、包装ユニットを製造するのに好適ないずれかの材料、すなわち、プラスティックフィルム、不織ウェブ、積層体、又は当業者に知られたいずれかの他の材料から作ることができる。
【００５２】
本発明の材料ウェブの寸法は、製造される包装ユニットのサイズによって変化させることができる。最も典型的には、材料ウェブは、長手方向に数百メートルの長さを有し、１０〜５０ｃｍ、好ましくは１５〜４０ｃｍ、より好ましくは２０〜３０ｃｍの横方向における幅を有するロールの形態にある。
【００５３】
横方向裁断ゾーンの寸法は、製造される包装ユニットのサイズと、必要とされる接着強度と、によって変化させることができる。横方向裁断ゾーンは、０．５〜５ｃｍ、好ましくは１〜４ｃｍ、より好ましくは２〜３ｃｍのウェブの長手方向における幅を有することができる。ウェブの横方向における横方向裁断ゾーンの長さは、ウェブの横方向における材料ウェブの幅に等しい。
【００５４】
本発明は、衛生物品のための包装ユニットを形成するための材料ウェブを準備するための製造方法にさらに関し、この方法は、
ａ）長手方向中心軸に沿って延びる長手方向と、この長手方向に垂直な横方向と、を有する材料ウェブを準備するステップであって、ウェブは、機械における進行方向（ｍａｃｈｉｎｅ  ｄｉｒｅｃｔｉｏｎ：ＭＤ）に流れ、それによってウェブの長手方向はＭＤに一致し、ウェブは複数の横方向裁断ゾーンを備え、横方向裁断ゾーンのそれぞれは、ウェブの横方向に延びる中心裁断軸に沿って配置されており、横方向裁断ゾーンは、ウェブの長手方向において互いから所定の距離に配置されている、ステップと、
ｂ）ウェブの横方向においてウェブの横方向裁断ゾーンのそれぞれの一部に接着剤を設けるステップと、
ｃ）ウェブの横方向においてウェブの横方向裁断ゾーンのそれぞれの残りの部分の少なくとも１つの区画に剥離剤を設けるステップと、
ｄ）中心裁断軸に沿って、横方向裁断ゾーンを通じてウェブを切断するステップと、
を備える。
【００５５】
勿論、ステップｂ）及びｃ）は、いずれの順序で行うこともできる、すなわち、材料ウェブには最初に剥離剤が設けられ、次いで剥離剤が無い横方向裁断ゾーンの部分に接着剤が設けられてもよい。
【００５６】
本発明の実施形態が以下に、添付の図面を参照しつつ、例示の方法によって説明される。
【図面の簡単な説明】
【００５７】
【図１】１つの折り畳み軸を有する、本発明による包装ユニットを示す図である。
【図２】１つの折り畳み軸を有する、本発明による包装ユニットを示す図である。
【図３】１つの折り畳み軸を有する、本発明による包装ユニットを示す図である。
【図４】１つの折り畳み軸を有する、本発明による包装ユニットを示す図である。
【図５】１つの折り畳み軸を有する、本発明による包装ユニットを示す図である。
【図６】１つの折り畳み軸を有する、本発明による包装ユニットを示す図である。
【図７】本発明による円形状の包装ユニットを示す図である。
【図８】折り畳まれた状態の、図７に示された包装ユニットを示す図である。
【図９】２つの折り畳み軸を有する、本発明による包装ユニットを示す図である。
【図１０】図９に示された包装ユニットを折り畳む方法を示す図である。
【図１１】異なる幅の接着剤で覆われた部分を有する本発明による包装ユニットを示す図である。
【図１２】図７に示された包装ユニットを折り畳む方法を示す図である。
【図１３】本発明による包装ユニットを製造するための材料ウェブを示す図である。
【図１４】本発明による包装ユニットを製造するための材料ウェブを示す図である。
【図１５】本発明による包装ユニットを製造するための材料ウェブを示す図である。
【図１６】互いから所定の距離にある、接着剤を担持する部分及び剥離剤を設けられた部分を有する、本発明による包装ユニットを示す図である。
【発明を実施するための形態】
【００５８】
図１は本発明による衛生物品のための包装ユニット１を示す。包装ユニットは、内面２及び外面３を有する材料シートから形成され、内面は、内側縁部部分５、８及び外側縁部部分６、７を備える縁部ゾーン４を備える。また、包装ユニット１は、対向する横方向縁部部分４’、４”をも備える。シートは折り畳み軸９を有し、この折り畳み軸はシートを第１領域１０と第２領域１１とに分割する。図１に示されているように、第１領域１０の縁部ゾーン４の外側縁部部分６には接着剤１２が設けられているが、第１領域１０の縁部ゾーン４の内側縁部部分５には接着剤が無い。さらに、第２領域１１の縁部ゾーン４の内側縁部部分８には接着剤１２が設けられているが、第２領域１１の縁部ゾーン４の外側縁部部分７には剥離剤２２が設けられている。また、第１領域１０の横方向縁部部分４’には接着剤１２が設けられているが、第２領域１１の横方向縁部分４”には接着剤はない。このように、第１領域１０における接着剤のパターンは、第２領域１１の接着剤のパターンに対して補完的である。これはすなわち、シートが図２に示されたように折り畳み軸９の周りに折り畳まれるときに、第１領域１０における接着剤を担持する縁部部分６が第２領域１１における剥離剤２２を担持する縁部部分７と接触することになり、第２領域１１における接着剤１２を担持する縁部部分８が第１領域１０における接着剤の無い縁部部分５に接触することになり、第１領域１０において接着剤１２を担持する横方向縁部部分４’が第２領域１１の接着剤の無い横方向縁部部分４”に接触することになる、ということを意味する。図２からわかるように、シール領域の幅は、接着剤部分６、８の幅の合計に対応する。このようなシールは新しい物品及び廃棄される物品の両方のための密閉された包装を保証する。
【００５９】
図３は、本発明による衛生物品のための包装ユニット１０１を示している。この包装ユニットは、内面１０２及び外面１０３を有する材料シートから形成され、内面は、内側縁部部分１０５、１０８及び外側縁部部分１０６、１０７を備える縁部ゾーン１０４を備える。また、包装ユニット１０１は、対向する横方向縁部部分１０４’、１０４＊及び１０４”，１０４＊＊をも備える。シートは折り畳み軸１０９を有し、この折り畳み軸は、シートを第１領域１１０と第２領域１１１とに分割する。図３に示されているように、第１領域１１０の縁部ゾーン１０４の外側縁部部分１０６には接着剤１２が設けられているが、第１領域１１０の縁部ゾーン１０４の内側縁部部分１０５には剥離剤が設けられている。さらに、第２領域１１１の縁部ゾーン１０４の内側縁部部分１０８には接着剤１２が設けられているが、第２領域１１１の縁部ゾーン１０４の外側縁部部分１０７には剥離剤が設けられている。また、第１領域１１０の横方向縁部部分１０４’には接着剤１２が設けられているが、第１領域１１０の横方向縁部部分１０４＊には剥離剤が設けられている。さらに、第２領域１１１の横方向縁部部分１０４＊＊には接着剤１２が設けられているが、第２領域１１１の横方向縁部部分１０４”には剥離剤が設けられている。このように、第１領域１１０における接着剤のパターンは、第２領域１１１の接着剤のパターンに対して補完的である。これはすなわち、シートが図４に示されたように折り畳み軸１０９の周りに折り畳まれるときに、第１領域１１０における接着剤を担持する縁部部分１０６が第２領域１１１における剥離剤２２を担持する縁部部分１０７と接触することになり、第２領域１１１における接着剤１２を担持する縁部部分１０８が第１領域１１０における剥離剤２２を担持する縁部部分１０５に接触することになり、第１領域１１０において接着剤１２を担持する横方向縁部部分１０４’が第２領域１１１において剥離剤２２を担持する横方向縁部部分１０４”に接触することになり、第２領域１１１における接着剤１２を担持する横方向縁部部分１０４＊＊が第１領域１１０における剥離剤を担持する横方向縁部部分１０４＊に接触することになるということを意味する。図４からわかるように、長手方向縁部に沿ったシール領域の幅は、接着剤のある縁部部分１０６、１０８の幅の合計に対応し、横方向縁部に沿ったシール領域の長さは、接着剤のある部分１０４’及び１０４＊＊の長さの合計に対応する。このようなシールは新しい物品及び廃棄される物品の両方のための密閉された包装を保証する。
【００６０】
図１〜４に示された実施形態において、剥離剤２２は本質的に連続的なコーティングとして塗布されていることに留意すべきである。
【００６１】
図５は、本発明による衛生物品のための包装ユニット２０１を図示している。この包装ユニットは、内面２０２及び外面２０３を有する材料シートから形成され、内面は、内側縁部部分２０５、２０８及び外側縁部部分２０６、２０７を備える縁部ゾーン２０４を備える。また、包装ユニット２０１は、横方向縁部部分２０４’、２０４＊及び２０４”，２０４＊＊をも備える。シートは折り畳み軸２０９を有し、この折り畳み軸は、シートを第１領域２１０と第２領域２１１とに分割する。図５に示されているように、第１領域２１０の縁部ゾーン２０４の外側縁部部分２０６には接着剤１２が設けられているが、第１領域２１０の縁部ゾーン２０４の内側縁部部分２０５には剥離剤２２が間欠パターンに塗布された状態で設けられている。さらに、第２領域２１１の縁部ゾーン２０４の内側縁部部分２０８には接着剤１２が設けられているが、第２領域２１１の縁部ゾーン２０４の外側縁部部分２０７には剥離剤２２が間欠パターンに塗布された状態で設けられている。また、第１領域２１０の横方向縁部部分２０４’には接着剤１２が設けられているが、第１領域２１０の横方向縁部部分２０４＊には剥離剤２２が間欠パターンに塗布された状態で設けられている。さらに、第２領域２１１の横方向縁部部分２０４＊＊には接着剤１２が設けられているが、第２領域２１１の横方向縁部部分２０４”には剥離剤２２が間欠パターンに塗布された状態で設けられている。図５に示す実施形態では、剥離剤２２の間欠パターンは線状の形状である。このように、第１領域２１０における接着剤のパターンは、第２領域２１１の接着剤のパターンに対して補完的である。これはすなわち、シートが図６に示されたように折り畳み軸２０９の周りに折り畳まれるときに、第１領域２１０における接着剤を担持する縁部部分２０６が第２領域２１１における剥離剤２２を設けられた縁部部分２０７と接触することになり、第２領域２１１における接着剤１２を担持する縁部部分２０８が第１領域２１０における剥離剤２２を設けられた縁部部分２０５に接触することになり、第１領域２１０において接着剤１２を担持する横方向縁部部分２０４’が第２領域２１１において剥離剤２２を設けられた横方向縁部部分２０４”に接触することになり、第２領域２１１における接着剤１２を担持する横方向縁部部分２０４＊＊が第１領域２１０における剥離剤２２を設けられた横方向縁部部分２０４＊に接触することになるということを意味する。図６からわかるように、長手方向縁部に沿ったシール領域の幅は、接着剤のある部分２０６、２０８の幅の合計に対応し、横方向縁部に沿ったシール領域の幅は、接着剤のある部分２０４’及び２０４＊＊の幅の合計に対応する。このようなシールは新しい物品及び廃棄される物品の両方のための密閉された包装を保証する。
【００６２】
図５、６に図示されている剥離剤のように、剥離剤２２を間欠パターンに塗布することは好都合である。何故なら、それは、費用効率が高く、かつ使用されていない物品を含んでいる包装ユニットの開放を容易化するのに十分弱く、使用された物品が包装ユニットの中に廃棄の目的で挿入された際に包装ユニットの十分なシールを提供するのに十分強い、最適な接着強度を提供するからである。
【００６３】
それにもかかわらず、この全く同じ実施形態において、所定の縁部部分には剥離剤の間欠パターンを設けることができ、その他には本質的に連続的なコーティングを設けることができ、及び／又はその他には全く剥離剤を設けないこともできる。
【００６４】
図７は円状の形状を有する包装ユニット１３を示す。このような包装ユニットは、タンポン又は胸当てパッドのような、折り畳むよりは巻くことによって包装される吸収性物品に使用することができる。この包装ユニット１３は、包装ユニット１３を第１領域１４と第２領域１５とに分割する折り畳み軸２０を有する。領域それぞれは、内側縁部部分１６、１９と、外側縁部部分１７、１８と、を備える。図７に示されるように、第１領域１４の内側縁部部分１６及び第２領域１５の外側縁部部分１８には接着剤１２が設けられ、一方で第１領域１４の外側縁部部分１７及び第２領域１５の内側縁部部分１９には、連続的なジグザグパターンに塗布された剥離剤２２が設けられている。このように、第１領域１４の接着剤のパターンは、第２領域１５の接着剤パターンに対して補完的である。これはすなわち、シートが図８に示すように折り畳み軸２０の周りに折り畳まれるときに、第１領域１４において接着剤を担持する縁部部分１６が第２領域１５において剥離剤２２を担持する縁部部分１９と接触するようになり、第２領域１５において接着剤１２を担持する縁部部分１８は第１領域１４において剥離剤２２を担持する縁部部分１７と接触するようになるということを意味する。図８からわかるように、シール領域の幅は、接着剤部分１６、１８の幅の合計に対応する。
【００６５】
吸収性物品の個別包装のための最も一般的な包装ユニットは、２つの折り畳み軸、長手方向縁部、及び横方向縁部を備える長方形状のシートである。そのような実施形態が図９に示されている。包装ユニット３０１は、この包装ユニットを第１領域３１０、第２領域３１１、及び第３領域３１２に分割する２つの折り畳み軸３０９、３０９’を備える長方形状のシートである。これら領域それぞれは内側縁部部分３０５、３０５’、３０８、及び外側縁部部分３０６、３０６’、３０７を備える。図９に示すように、第１領域及び第３領域の外側縁部部分３０６、３０７それぞれには接着剤１２が設けられ、一方で第１領域及び第３領域の内側縁部部分３０５、３０８それぞれには接着剤は無い。第２領域３１１の接着剤パターンは、第１及び第３領域３１０、３１２の接着剤のパターンに対して補完的であり、よってチェス盤状のパターンを形成している。言い換えると、第２領域３１１の外側縁部部分３０６’は接着剤を有さずに剥離剤２２を設けられており、第２領域３１１の内側縁部部分３０５’には接着剤が設けられている。これはすなわち、シートが図１０に示されるように折り畳み軸３０９、３０９’の周りにｅ‐折り畳みされるとき、第１領域３１０及び第３領域３１２のいずれが第２領域３１１に接触するようになるかによって、接着剤１２を担持する第１領域３１０の外側縁部部分３０６又は第３領域３１２の外側縁部部分３０７が、第２領域３１１における剥離剤２２を担持する外側縁部部分３０６’に接触するようになる。したがって、第２領域３１１において接着剤１２を担持する内側縁部部分３０５’は、第１領域３１０の接着剤の無い内側縁部部分３０５又は第３領域３１２の接着剤の無い縁部部分３０８に接触するようになる。図１０からわかるように、シール領域の幅は、接着剤の部分３０６、３０５’の幅の合計に対応する。包装ユニットが折り畳まれる順序は重要ではないことに留意すべきである。例えば、包装ユニットは第２の折り畳み軸３０９’の周りに折り畳まれ、第３領域３１２が第２領域３１１に接触するようになり、外側縁部部分３０７、３０６’及び内側縁部部分３０８、３０５’をシールすることができる。包装ユニットは続いて第１の折り畳み線３０９の周りに折り畳まれて、第１領域３１０が第３領域３１２の外面に接触するようになり、それによって包装ユニットをシールすることができる（図１０）。折り畳みの順序はまた、逆にすることができる。このことは大きな利点である。なぜなら、本発明の包装ユニットを廃棄のために使用するときに、使用者は緊密にシールされた包装を得ることを可能にするために、いずれかの特定の順序で包装ユニットを折り畳まなければならないわけではないからである。包装ユニットは、折り畳みの順序にかかわらず、密閉された衛生的な包装を提供する。
【００６６】
接着剤の無い縁部部分３０５、３０６’、及び３０８のいずれか１つ、２つ、又は３つに剥離剤を設けることはもちろん想到可能である。
【００６７】
密閉された包装を得るために、包装ユニット３０１の横方向縁部３０４’及び３０４＊＊に接着剤１２が設けられる。横方向縁部３０４’及び３０４＊＊の両方に接着剤が設けられるときに、上述したように、折り畳みの順序は重要ではない。また、横方向縁部の一方だけに接着剤を設けることも想到可能である。この場合、折り畳みは接着剤の無い横方向縁部に最も近い折り畳み軸の周りで始められなければならず、それによって、接着剤で覆われた横方向縁部部分を備え得る領域が蓋を形成し、横方向縁部部分に配置された接着剤が包装ユニットをシールする。
【００６８】
包装の開放を容易化するために、接着剤で覆われた部分を、包装ユニット３０１のコーナー部分２１のうちの少なくとも１つが接着剤を有さないように配置し、それによって包装を開放する際に使用者によって把持される把持タブを形成する。さらに、接着剤を有さないコーナー部分２１は、包装ユニットがシールされる際の排気開口部（ｅｖａｃｕａｔｉｏｎ  ｏｐｅｎｉｎｇ）として作用する。
【００６９】
上述に説明されたように、シール領域の幅は、第１領域及び第２領域の接着剤でカバーされた部分の幅の合計である。接着剤の量及び包装材の幅を最小化することが多くの理由で望ましい場合がある。これは、隣接する領域のうちの２つにおける接着剤でカバーされた部分の幅が、図１１に示すように二分される場合に達成することができる。包装ユニット４０１は、この包装ユニットを第１領域４１０、第２領域４１１、及び第３領域４１２に分割する２つの折り畳み軸４０９、４０９’を有する。図１１からわかるように、隣接する領域のうちの２つ、この場合には第２領域４１１及び第３領域４１２の、接着剤でカバーされた部分４０５’及び４０７の幅が、残りの領域、この場合には第１領域４１０の接着剤でカバーされた部分の幅の半分に対応し、接着剤の無い縁部部分４０６’及び４０８は剥離剤を担持している。第２領域４１１の接着剤でカバーされた部分４０５’が、第３領域４１２の接着剤でカバーされた部分４０７に対して補完的であることが望ましい。もしも接着剤のパターンが図１１及び１２に示されているようであれば、折り畳みは、包装ユニットが再開放されることを意図されている場合、すなわち使用されていない物品が包装されているときには、二分された、接着剤でカバーされた部分を有する領域間に配置された折り畳みの軸の回りで開始されなければならない。そうでなければ、第１領域４１０の接着剤でカバーされた部分４０６が第２領域４１１の接着剤でカバーされた部分４０５’に接触することになり、したがって包装ユニットを再開放する可能性を排除してしまう。
【００７０】
本発明による包装ユニットが廃棄のために使用されるときには、使用者は、包装ユニットを折り畳むよりむしろ、包装ユニットと、その上に配置された汚れた物品と、を巻いて包み込む（ｒｏｌｌ  ｕｐ）ことを選択することができることに留意すべきである。
【００７１】
図１３は、本発明による包装ユニットを製造するのに好適な材料ウェブ５０１を示している。材料ウェブは、長手方向中心軸５０８に沿って延びる長手方向と、この長手方向に垂直な横方向と、を有する。ウェブ５０１は複数の横方向裁断ゾーン５０２を備え、裁断ゾーンそれぞれは、ウェブの横方向に延びる中心裁断軸５０３それぞれに沿って配置されている。横方向裁断ゾーン５０２は、ウェブ５０１の長手方向において互いから所定の距離をおいて配置されている。横方向裁断ゾーンのそれぞれは、中央部分５０５並びに、ウェブの横方向における中央部分５０５の両側に配置された第１及び第２周辺部分５０４、５０４’を備える。図１３に示すように、横方向裁断ゾーン５０２の中央部分５０５には剥離剤２２が設けられている。
【００７２】
図１４は、長手方向中心軸６０８と、ウェブの横方向に延びる複数の横方向裁断軸６０３に沿ってそれぞれが配置されている複数の横方向裁断ゾーン６０２と、を備える材料ウェブ６０１を示している。横方向裁断ゾーン６０２は、ウェブ６０１の長手方向において互いから所定の距離に配置されている。横方向裁断ゾーンのそれぞれは、中央部分６０５並びに、ウェブの横方向における中央部分６０５の両側に配置された第１及び第２周辺部分６０４、６０４’を備える。図１４に示されているように、剥離剤２２が横方向裁断ゾーン６０２の全長に沿って配置されており、それによって横方向裁断ゾーン６０２の中央部分６０５における剥離剤を設けられた区画６０９が、横方向裁断ゾーン６０２の第１及び第２周辺部分６０４、６０４’の、剥離剤２２を設けられた区画６１０、６１０’に対して長手方向に変位されている。
【００７３】
さらに、ウェブ６０１には、剥離剤が無い横方向裁断ゾーン６０２の区画に接着剤が設けられ、それによって、接着剤のチェス盤状パターンが上述した態様で形成されている。このように、横方向裁断ゾーン６０２の中央部分６０５の区画６１１、並びに横方向裁断ゾーン６０２の第１及び第２の周辺部分６０４、６０４’の区画６０６及び６０６’には接着剤が設けられる。材料ウェブ６０１が中心裁断軸６０３に沿って切断されるとき、図９に記載されたのと同様の包装ユニットが形成される。
【００７４】
既述のように、本発明による包装ユニットはただ１つの折り畳み軸を備えることができる。この場合、本発明の材料ウェブ７０１上の接着剤及び剥離剤２２のパターンは、図１５に示されたパターンと同じパターンとすることができる。剥離剤２２を設けられている横方向裁断ゾーン７０２の区画は、横方向裁断ゾーン７０２の全長に沿って配置されている。剥離剤２２を設けられた横方向裁断ゾーン７０２の区画は、第１部分７０５及び第２部分７０５’を備え、剥離剤２２を設けられた区画の第１部分７０５は、剥離剤を設けられた区画の第２部分７０５’に対して長手方向に変位されており、変位点は長手方向中心軸７０８と、中心裁断軸７０３と、の交差点に位置している。
【００７５】
さらに、ウェブ７０１には、剥離剤の無い横方向裁断ゾーン７０２の区画に接着剤が設けられている。したがって、横方向裁断ゾーン７０２の区画７０６、７０６’には接着剤が設けられている。材料ウェブ７０１が中心裁断軸７０３に沿って切断される際には、図３に示されたのと同様の包装ユニットが形成される。
【００７６】
図１６は、包装ユニットを第１領域８１０、第２領域８１１、及び第３領域８１２に分割する２つの折り畳み軸８０９、８０９’を備える包装ユニット８０１を示す。これら領域のそれぞれは、内側縁部部分８０５、８０５’、８０８と、外側縁部部分８０６、８０６’、８０７とをそれぞれ備える。図１６に示すように、第１及び第３領域の内側縁部部分８０５、８０８それぞれには接着剤１２が設けられ、第１及び第３領域の外側縁部部分８０６、８０７それぞれには、包装ユニット８０１の長手方向縁部まで延在する均一なコーティングの形態の剥離剤２２が設けられている。第２領域８１１の接着剤パターンは、第１及び第３領域８１０、８１２の接着剤パターンに対して補完的であり、それによってチェス盤状のパターンを形成している。言い換えると、第２領域８１１の外側縁部部分８０６’には包装ユニット８０１の長手方向縁部まで延在する接着剤が設けられ、第２領域８１１の内側縁部部分８０５’には剥離剤２２が設けられている。図１６に示された実施形態では、外側縁部部分８０６、８０６’、８０７の処理された区画、すなわち接着剤１２又は剥離剤２２のいずれかを設けられた区画が、内側縁部部分８０５、８０５’、８０８の処理された区画から所定の距離に配置されていることに留意すべきである。また、領域それぞれにおける縁部部分の処理された区画は、隣接する領域の縁部部分の処理された区画から所定の距離に配置されている。
【００７７】
本発明は様々な実施形態を参照して記載されてきたが、当業者であれば、変更を本発明の技術的範囲から逸脱せずに行うことができることを認識する。詳細な説明は実例とされることが意図されており、すべての同等物を含む添付の特許請求の範囲は、本発明の技術的範囲を規定することを意図されている。
【符号の説明】
【００７８】
１          包装ユニット
２          内面
３          外面
５、８      内側縁部部分
６、７      外側縁部部分
４          縁部ゾーン
９          折り畳み軸
１０        第１領域
１１        第２領域
１２        接着剤
２２        剥離剤
４’、４”    横方向縁部ゾーン
【図１】
0006321793.tif 000002
【図２】
0006321793.tif 000003
【図３】
0006321793.tif 000004
【図４】
0006321793.tif 000005
【図５】
0006321793.tif 000006
【図６】
0006321793.tif 000007
【図７】
0006321793.tif 000008
【図８】
0006321793.tif 000009
【図９】
0006321793.tif 000010
【図１０】
0006321793.tif 000011
【図１１】
0006321793.tif 000012
【図１２】
0006321793.tif 000013
【図１３】
0006321793.tif 000014
【図１４】
0006321793.tif 000015
【図１５】
0006321793.tif 000016
【図１６】
0006321793.tif 000017